(57)【要約】【課題】ガスタービンエンジンの圧縮機への入口気流を冷却するための入口空気システムを提供する。【解決手段】入口空気システムは、湿った媒体パッドと、湿った媒体パッドの下流に、エアギャップを挟んで配置されたドリフトエリミネータとを含み得る。ドリフトエリミネータは繊維状媒体パッドを含み得る。【選択図】図２
2018162786.tif 000002
【特許請求の範囲】
【請求項１】
ガスタービンエンジン（１０）の圧縮機（１２）の入口気流（２２）を冷却するための入口空気システム（２８、１００）であって、
湿った媒体パッド（３８、１０５）と、
前記湿った媒体パッド（３８、１０５）の下流に、その間にエアギャップ（４６、１１５）を挟んで配置されたドリフトエリミネータ（４４、１１０）であって、
繊維状媒体パッド（１２０）を備える、ドリフトエリミネータ（４４、１１０）と
を備える、入口空気システム（２８、１００）。
【請求項２】
前記ドリフトエリミネータ（４４、１１０）が、前記繊維状媒体パッド（１２０）を全体的または部分的に備える、請求項１記載の入口空気システム（２８、１００）。
【請求項３】
前記湿った媒体パッド（３８、１０５）が前記繊維状媒体パッド（１２０）を備える、請求項１記載の入口空気システム（２８、１００）。
【請求項４】
前記ドリフトエリミネータ（４４、１１０）の繊維状媒体パッド（１２０）が慣性分離または非慣性分離をもたらす、請求項１記載の入口空気システム（２８、１００）。
【請求項５】
前記ドリフトエリミネータ（４４、１１０）の繊維状媒体パッド（１２０）がひだのような形状を備える、請求項１記載の入口空気システム（２８、１００）。
【請求項６】
前記ドリフトエリミネータ（４４、１１０）の繊維状媒体パッド（１２０）が、
山形波形面（２００）を備える、第１の媒体シート（１３０）と、
波状波形面（２７０）を備える、第２の媒体シート（１４０）と
を備える、請求項１記載の入口空気システム（２８、１００）。
【請求項７】
前記第１の媒体シート（１３０）および前記第２の媒体シート（１４０）が、前縁（１６０）から後縁（１７０）まで延在する、請求項６記載の入口空気システム（２８、１００）。
【請求項８】
前記前縁（１６０）が前記入口気流（２２）に面する、請求項７記載の入口空気システム（２８、１００）。
【請求項９】
前記山形波形面（２００）および前記波状波形面（２７０）が、前記前縁（１６０）から前記後縁（１７０）の方へ延在する、請求項７記載の入口空気システム（２８、１００）。
【請求項１０】
前記前縁（１６０）および前記後縁（１７０）がダイヤモンドのような形状（３３０）を備える、請求項７記載の入口空気システム（２８、１００）。
【請求項１１】
前記ダイヤモンドのような形状（３３０）が接合部分（３４０）および拡張部分（３５０）を備える、請求項１０記載の入口空気システム（２８、１００）。
【請求項１２】
前記山形波形面（２００）が、対角線的に上昇する部分（２２０）および対角線的に低下する部分（２３０）を有する複数の山形チャネル（２１０）を備える、請求項６記載の入口空気システム（２８、１００）。
【請求項１３】
前記波状波形面（２７０）が、頂点（３００）および低点（３１０）を有する複数の波状チャネル（２８０）を備える、請求項６記載の入口空気システム（２８、１００）。
【請求項１４】
前記ドリフトエリミネータ（４４、１１０）の繊維状媒体パッド（１２０）が合成媒体またはセルロース媒体を備える、請求項１記載の入口空気システム（２８、１００）。
【請求項１５】
ガスタービンエンジン（１０）の入口気流（２２）を冷却する方法であって、
前記ガスタービンエンジン（１０）の入口（２０）のあたりに湿った媒体パッド（３８、１０５）を配置するステップと、
前記湿った媒体パッド（３８、１０５）の上部から下部へ水を流すステップと、
前記入口気流（２２）と前記水の流れ（３２）の間で熱を交換するステップと、
前記湿った媒体パッド（３８、１０５）の下流に、その間にエアギャップ（４６、１１５）を挟んで繊維状媒体のドリフトエリミネータ（４４、１１０）を配置するステップと、
前記湿った媒体パッド（３８、１０５）の下流に流れる水滴を、前記繊維状媒体のドリフトエリミネータ（４４、１１０）の中に捕捉するステップと
を含む、方法。
【請求項１６】
ガスタービンエンジン（１０）の圧縮機（１２）への入口気流（２２）を冷却するための入口空気システム（２８、１００）であって、
湿った媒体パッド（３８、１０５）と、
前記湿った媒体パッド（３８、１０５）の下流に、その間にエアギャップ（４６、１１５）を挟んで配置されたドリフトエリミネータ（４４、１１０）と
を備え、
前記ドリフトエリミネータ（４４、１１０）が、繊維状媒体パッド（１２０）を全体的または部分的に備え、
前記繊維状媒体パッド（１２０）が、複数の山形チャネル（２１０）を有する第１の媒体シート（１３０）と、複数の波状チャネル（２８０）を有する第２の媒体シート（１４０）とを備える、
入口空気システム（２８、１００）。
【請求項１７】
前記第１の媒体シート（１３０）および前記第２の媒体シート（１４０）が、入口気流（２２）に面する前縁（１６０）から後縁（１７０）まで延在し、前記前縁（１６０）および前記後縁（１７０）がダイヤモンドのような形状（３３０）を備える、請求項１６記載の入口空気システム（２８、１００）。
【請求項１８】
前記複数の山形チャネル（２１０）が、対角線的に上昇する部分（２２０）および対角線的に低下する部分（２３０）を備える、請求項１６記載の入口空気システム（２８、１００）。
【請求項１９】
前記複数の波状チャネル（２８０）が頂点（３００）および低点（３１０）を備える、請求項１６記載の入口空気システム（２８、１００）。
【請求項２０】
前記湿った媒体パッド（３８、１０５）が前記繊維状媒体パッド（１２０）を備える、請求項１６記載の入口空気システム（２８、１００）。
【発明の詳細な説明】
【技術分野】
【０００１】
本出願および結果として生じる特許は、一般にガスタービンエンジンに関し、より詳細には、水滴蒸発を改善するように繊維状媒体から作製されたより高い蒸発冷却効率を有するドリフトエリミネータに関するものである。
【背景技術】
【０００２】
従来のガスタービンエンジンは、周囲空気の流れを圧縮するための圧縮機と、周囲空気の圧縮された流れを燃料の流れと混合して高温の燃焼ガスの流れを生成するための燃焼器と、高温の燃焼ガスによって駆動されて機械的作用をもたらすタービンとを含む。タービンは、電力用発電機などの負荷を駆動し得る。ガスタービンエンジンが生成し得る電力の量を増加するための様々な計略が知られている。電力出力を増加する方法の１つには、圧縮機の上流の周囲空気流を冷却することによるものがある。そのような冷却により、空気の流れがより高密度になり、それによって、圧縮機へのより大きい質量流量を生成することができる。圧縮機への質量流量がより大きければ、ガスタービンエンジンがより多くの電力を生成することを可能にするように、より多くの空気が圧縮され得る。その上、周囲空気流を冷却すると、一般に、高温環境におけるガスタービンエンジンの総合効率が向上し得る。
【０００３】
ガスタービンエンジンに入る周囲空気流を冷却するために様々なシステムおよび方法が利用され得る。たとえば、潜在的冷却または顕在的冷却によって周囲空気流を冷却するために、１つまたは複数の熱交換器を有する入口空気システムが使用され得る。そのような熱交換器は、大抵の場合、周囲空気流の冷却を促進するために湿った媒体パッドを利用してよい。これらの湿った媒体パッドは、周囲空気流と、水の流れなどの冷媒流との間の、熱伝達および／または質量伝達を可能にし得る。周囲空気流は、湿った媒体パッドにおける冷媒流と、そこで熱交換するために相互作用する。
【０００４】
そのような湿った媒体パッドを通る空気流路は、効果的な水蒸発と、周囲空気の流れを水の流れからの水蒸気と混合することとを意図するものである。しかしながら、気流速度が増加するとともに撥水が生じる可能性がある。具体的には、空中に浮んでいる水滴が、下流の入口ダクトに蓄積する可能性および／または圧縮機に流れ込む可能性がある。そのような水滴は、ブレード摩耗や他のタイプの被害をもたらす恐れがある。したがって、知られている入口空気システムは、下流ドリフトエリミネータを有する蒸発冷却システムを内蔵し得る。しかしながら、そのようなドリフトエリミネータは、かなりのスペースと追加材料の両方を必要とする可能性がある。具体的には、一般的なドリフトエリミネータは、傾斜して配置された複数の熱可塑性構成要素を含み得る。その上、そのようなドリフトエリミネータは、一般に日常保守および関連する使用不能時間を必要とする。知られているシステムでは、全体の圧力損失も増加して全体的なガスタービン出力が低下する可能性もある。
【先行技術文献】
【特許文献】
【０００５】
【特許文献１】米国特許出願公開第２０１６０１４６０４３号公報
【発明の概要】
【課題を解決するための手段】
【０００６】
したがって、本出願および結果として生じる特許は、ガスタービンエンジンの圧縮機への入口気流を冷却するための入口空気システムを提供するものである。入口空気システムは、湿った媒体パッドと、湿った媒体パッドの下流にエアギャップを挟んで配置されたドリフトエリミネータとを含み得る。ドリフトエリミネータは、繊維状媒体パッドを全体的または部分的に含み得る。
【０００７】
本出願および結果として生じる特許は、ガスタービンエンジンの入口気流を冷却する方法をさらに提供するものである。この方法は、ガスタービンエンジンの入口のあたりに湿った媒体パッドを配置するステップと、湿った媒体パッドの上部から下部へ水を流すステップと、入口気流と水の流れの間で熱を交換するステップと、湿った媒体パッドの下流に、エアギャップを挟んで繊維状媒体のドリフトエリミネータを配置するステップと、湿った媒体パッドの下流に流れる水滴を繊維状媒体のドリフトエリミネータの中に捕捉するステップとを含み得る。
【０００８】
本出願および結果として生じる特許は、ガスタービンエンジンの圧縮機への入口気流を冷却するための入口空気システムをさらに提供するものである。入口空気システムは、湿った媒体パッドと、湿った媒体パッドの下流に、エアギャップを挟んで配置されたドリフトエリミネータとを含み得る。ドリフトエリミネータは、複数の山形チャネルを有する第１の媒体シートと複数の波状チャネルを有する第２の媒体シートとを有する繊維状媒体パッドを、全体的または部分的に含み得る。
【０００９】
本出願および結果として生じる特許のこれらおよび他の特徴および改善は、以下の詳細な説明を、いくつかの図面および添付の特許請求の範囲と併用して検討したとき、当業者には明瞭になるであろう。
【図面の簡単な説明】
【００１０】
【図１】入口空気システムを有するガスタービンエンジンの概略図である。
【図２】本明細書で説明され得る入口空気システムの概略図である。
【図３】図２の入口空気システムとともに使用され得る繊維状媒体パッドの第１の側の斜視図である。
【図４】図３の繊維状媒体パッドの第２の側の斜視図である。
【図５】図３の繊維状媒体パッドの側面図である。
【図６】本明細書で説明され得るドリフトエリミネータの代替実施形態の部分的斜視図である。
【図７】本明細書で説明され得るドリフトエリミネータの代替実施形態の部分的斜視図である。
【図８】本明細書で説明され得るドリフトエリミネータの代替実施形態の部分的斜視図である。
【図９】本明細書で説明され得るドリフトエリミネータの代替実施形態の部分的斜視図である。
【発明を実施するための形態】
【００１１】
次に図面を参照すると、類似の数字はいくつかの図の全体にわたって類似の要素を指し、図１はガスタービンエンジン１０の一例の概略図である。ガスタービンエンジン１０は、圧縮機１２、燃焼器１４、およびタービン１６を含み得る。単一の燃焼器１４のみ示されているが、本明細書では任意数の燃焼器１４が使用されてよく、周囲の配列などに配置され得る。圧縮機１２とタービン１６は、シャフト１８によって結合されてよい。シャフト１８は、単一のシャフトまたは互いに結合された複数のシャフト部分でよい。シャフト１８は発電機などの負荷を駆動もし得る。
【００１２】
ガスタービンエンジン１０は、ガスタービンの空気吸入口２０をさらに含み得る。空気吸入口２０は入口気流２２を受け入れるように構成されてよい。たとえば、空気吸入口２０は、ガスタービンの入口ハウスなどの形態でよい。あるいは、空気吸入口２０は、圧縮機１２の任意の部分、または圧縮機１２の上流の、入口気流２２を受け入れ得る任意の装置など、ガスタービンエンジン１０の任意の部分でよい。入口気流２２は周囲空気でよく、調整済みでも未調整でもよい。
【００１３】
ガスタービンエンジン１０は排気口２４をさらに含み得る。排気口２４は、ガスタービンの排気流２６を放出するように構成され得る。排気流２６は熱回収蒸気発生器（図示せず）へ導かれてよい。あるいは、排気流２６は全体的または部分的に、たとえば水の流れを冷やすように吸収式冷凍機（図示せず）へ導かれてよく、廃熱利用ユニット（図示せず）へ導かれてよく、脱塩工場へ導かれてよく、または周囲空気へ分散されてもよい。
【００１４】
ガスタービンエンジン１０は、１つまたは複数の熱交換器３０を有する入口空気システム２８をさらに含み得る。入口空気システム２８は、入口気流２２を圧縮機１２に入る前に冷却するように構成され得る。たとえば、入口空気システム２８は、ガスタービンの空気吸入口２０あたりに配設されてよい。あるいは、入口空気システム２８は、ガスタービン入口２０の上流にまたは下流にあってよい。入口空気システム２８は、入口気流２２と水の流れ３２などの熱交換媒体が熱交換器３０において熱を交換することを可能にし得る。熱交換媒体は、任意の適切なタイプの流体流れでもよい。したがって、入口気流２２を圧縮機１２に入る前に冷却するように、熱交換器３０において入口気流２２と水の流れ３２の相互作用が促進され得る。
【００１５】
熱交換器３０は直接接触型熱交換器３０でよい。熱交換器３０は、熱交換媒体入口３４と、熱交換媒体出口３６と、その間の湿った媒体パッド３８とを含み得る。水の流れ３２または他のタイプの熱交換媒体が、熱交換媒体入口３４を通って湿った媒体パッド３８へと流れ得る。熱交換媒体入口３４は、１つまたは複数のノズル、１つまたは複数のオリフィスを有するマニホールドなどを含み得る。熱交換媒体出口３６は、湿った媒体パッド３８から排出された水の流れ３２を受け入れてよい。熱交換媒体出口３６は、水の流れ３２の方向において媒体パッド３８の下流に配設された水溜めでよい。水の流れ３２は、熱交換媒体入口３４から湿った媒体パッド３８を通って全体的または近似的に下方へ導かれてよく、入口気流２２は、熱交換器３０を通って、水の流れ３２の方向に対して全体的または近似的に垂直な方向へ導かれてよい。他のタイプの逆流機構または直交流機構も使用され得る。
【００１６】
入口気流２２の方向において、湿った媒体パッド３８の上流にフィルタ４２が配設されてよい。フィルタ４２は、ガスタービンエンジン１０に微粒子が入るのを防止するように、入口気流２２から微粒子を除去するように構成され得る。あるいは、入口気流２２の方向において、湿った媒体パッド３８の下流にフィルタ４２が配設されてよい。入口気流２２の方向において、湿った媒体パッド３８の下流にドリフトエリミネータ４４が配設されてよい。ドリフトエリミネータ４４は、入口気流２２が圧縮機１２に入る前に、入口気流２２から水の流れ３２の小滴を除去するように作用し得る。上記で説明されたように、ドリフトエリミネータ４４は、媒体パッド３８などの下流に傾斜して配置された複数の熱可塑性構成要素を含み得る。傾斜の角度が、気流の方向を変化させて、そこで水滴を分離する。湿った媒体パッド３８とドリフトエリミネータ４４は、ギャップ４６によって分離されてよい。ギャップ４６の長さは変化し得る。
【００１７】
熱交換器３０は、潜在的冷却または蒸発冷却によって入口気流２２を冷却するように構成され得る。潜在的冷却は、気体の水分含量を変化させるように、空気などの気体から熱が除去される冷却方法を指す。潜在的冷却は、気体を冷却するために、ほぼ周囲の湿球温度における液体の蒸発を伴い得る。具体的には、潜在的冷却は、気体を冷却してその湿球温度に近づけるために利用されてよい。あるいは、熱交換器３０は、顕在的冷却によって入口気流２２を冷やすように構成されてよい。顕在的冷却は、空気の乾球温度および湿球温度を変化させるように、空気などの気体から熱が除去される冷却方法を指す。顕在的冷却は、液体を冷やし、次いで、冷やされた液体を使用して気体を冷却することを伴い得る。具体的には、顕在的冷却は、気体をその湿球温度未満に冷却するために利用されてよい。
【００１８】
潜在的冷却と顕在的冷却が相互排除の冷却方法ではないことを理解されたい。むしろ、これらの方法は、排他的に、または組み合わせて適用されてよい。本明細書で説明された熱交換器３０は、潜在的冷却方法や顕在的冷却方法に限定されず、必要に応じて、任意の適切な冷却方法または加熱方法によって入口気流２２を冷却または加熱し得ることをさらに理解されたい。
【００１９】
図２は本明細書で説明され得る入口空気システム１００の一例を示す。この例では、入口空気システム１００は、湿った媒体パッド１０５および下流のドリフトエリミネータ１１０を含み得る。湿った媒体パッド１０５とドリフトエリミネータ１１０は、ギャップ１１５によって分離されてよい。ギャップ１１５の長さは変化し得る。湿った媒体パッド１０５および／またはドリフトエリミネータ１１０は、全体的または部分的に繊維状媒体パッド１２０から作製されてよい。湿った媒体パッド１０５およびドリフトエリミネータ１１０は、任意の適切なサイズ、形状、または構成を有し得る。ここに、他の構成要素および他の構成が使用され得る。
【００２０】
図３〜図５に示されるように、繊維状媒体パッド１２０は少なくとも１対の媒体シート１２５を含み得る。この例では第１の媒体シート１３０および第２の媒体シート１４０が示されているが、本明細書では追加のシートが使用され得る。本明細書では、任意数の媒体シート１２５が、任意の適切なサイズ、形状、または構成で使用され得る。媒体シート１２５は、親水性表面強化を伴う、または伴わない、不織布の合成繊維から熱的に形成されてよい。たとえば、不織布の合成繊維は、ポリエチレンテレフタラート（ＰＥＴ）、ポリトリメチレンテレフタラート（ＰＴＴ）、ナイロン、ポリエステル、ポリプロピレンなどを含み得る。親水性表面強化は、高い処理温度での強いアルカリ処理、アルカリ媒体におけるポリビニルアルコールなどの適用を含み得る。本明細書では他の材料および他の処理が使用され得る。媒体シート１２５は、その表面領域を通して、水の流れ３２または他のタイプの熱交換媒体を受け入れ、吸収し、流し、かつ分配するように、湿らされ得る。媒体シート１２５は、様々なタイプの熱交換媒体とともに利用され得る。
【００２１】
全体的に説明すると、媒体シート１２５は、実質的に３次元の輪郭の形状１５０を有し得る。具体的には、媒体シート１２５は、入ってくる入口気流２２に面する前縁１６０と、圧縮機１２のあたりに面する下流の後縁１７０とを含み得る。同様に、媒体シート１２５は、水の流れ３２を受け取るための上縁１８０と、ドレインなどのあたりに配置された下流の下縁１９０とを有し得る。
【００２２】
この例では、第１の媒体シート１３０は山形のような波形面２００を有し得る。山形のような波形面２００は複数の山形チャネル２１０を有し得る。本明細書では、任意数の山形チャネル２１０が、任意の適切なサイズ、形状、または構成で使用され得る。具体的には、山形チャネル２１０は対角線的に上昇する部分２２０と対角線的に低下する部分２３０とを有し得る。対角線的に上昇する部分２２０は、前縁１６０から延在してよく、その頂点２４０のあたりで対角線的に低下する部分２３０に合致し得る。上昇する部分および低下する部分の角度は変化し得る。
【００２３】
第２の媒体シート１４０は波状波形面２７０を有し得る。具体的には、波状波形面２７０は複数の波状チャネル２８０を有し得る。本明細書では、任意数の波状チャネル２８０が、任意のサイズ、形状、または構成で使用され得る。具体的には、波状チャネル２８０は、複数の頂点３００および低点３１０を伴って実質的に正弦波に類似の形状２９０を有し得る。本明細書では、他の構成要素および他の構成が使用され得る。
【００２４】
図５は、第１の媒体シート１３０が第２の媒体シート１４０と境界を接することを示す。したがって、前縁１６０はダイヤモンドのような形状３３０を形成する。ダイヤモンドのような形状３３０には、媒体シート１３０と１４０が接触して接着剤などによって接合され得る接合部分３４０と、空気をよく流すための拡張部分３５０とが含まれ得る。後縁１７０は、同様に、空気をよく流すためのダイヤモンドのような形状３３０を含み得る。本明細書では、他の構成要素および他の構成が使用され得る。
【００２５】
湿った媒体パッド１０５として使用されるとき、水の流れ３２は、繊維状媒体パッド１２０において媒体シート１２５の上縁１８０から下縁１９０へと流れ得る。媒体シート１２５は、それを通る水の流れ３２によって完全に湿らされ得る。入口気流２２は前縁１６０を通って入り、熱交換のために水の流れ３２と接触する。媒体シート１２５の間でねじれて渦巻く空気流れが生成されることにより、水の流れ３２は、水の流れ３２の温度がほぼ入口空気の湿球温度まで低下するように、入口気流２２の中へ蒸発し得る。具体的には、空気流れがねじれて渦巻くことにより、それを通って伝わる熱および質量が増加する。
【００２６】
第１の媒体シート１３０上に山形のような波形面２００を使用すると、前縁１６０に向けて水の流れ３２を分配するのを支援する。第２の媒体シート１４０の波状波形面２７０によって剛性がもたらされ、水の流れ３２が、媒体の奥行きにわたってより均一に広がる。前縁１６０および後縁１７０においてダイヤモンドのような形状３３０を使用すると、それを通る気圧の損失を低減するのにも役立つ。したがって、本明細書で説明された湿った媒体パッド１０５は、簡単なシステムで、全体的なガスタービンの出力低下および性能悪化を防止するかまたは制限するように、暑い天気における全体的な空気流量を増加し得る。
【００２７】
ドリフトエリミネータ１１０としての使用において、繊維状媒体パッド１２０は、水滴を除去するための慣性力選別装置として働き得て、小滴をドレインへ導き得る。あるいは、繊維状媒体パッド１２０は親水性の処理などを受けてよい。ドリフトエリミネータ１１０としての繊維状媒体パッド１２０は、湿った媒体パッド１０５の下流に、その間にエアギャップ１１５を挟んで配置されてよい。エアギャップ１１５は、媒体パッド１２０から水の流れ／連絡を分離する。エアギャップ１１５は、媒体パッドからの水滴のみが、捕捉される、再度蒸発する、または流れ出るように、ドリフトエリミネータ１１０に入ることを可能にする。繊維状媒体パッド１２０は、湿った媒体パッド１０５から離れたいかなる水滴も捕えてよく、毛管作用によって水滴を吸収し得る。通常は湿っていないドリフトエリミネータ材料へ水滴がこうして吸収されることにより、追加の水滴が気流の中へ蒸発することを可能にする。そのように蒸発しなかったいかなる水滴も、ドレインへ導かれ得る。
【００２８】
この追加の蒸発によって蒸発冷却効率がより高くなり、気流にわたる温度差が減少する。具体的には、いかなる局所的撥水も局所的な熱／質量の伝達を低減させ、場合によりホットスポットをもたらす可能性がある。ドリフトエリミネータ１１０は、全表面にわたる均一な熱／質量の伝達のために、そのような局所的撥水の捕捉を可能にするものである。繊維状媒体１２０の中に水滴を吸収すると、全体的な気流速度の増加も可能になり得る。言い換えれば、ドリフトエリミネータ１１０は、繊維状媒体パッド１２０の、いかなる小滴も捕捉する改善された能力のために、速度の増加を可能にする。
【００２９】
具体的には、湿った媒体パッド１０５の下流のドリフトエリミネータ１１０としての繊維状媒体パッド１２０を使用すると、そうでなければシステムから廃水として除去されるはずの水滴を蒸発させることができる。したがって、繊維状媒体パッド１２０は蒸発効率を向上させて水消費量を最適化する。気流をさらに冷却すると、気流にわたる温度差が減少し得る。繊維状媒体パッド１２０の中に水滴を捕捉すると、気流の速度も増加し得る。したがって、湿った媒体パッド１０５およびドリフトエリミネータ１１０として繊維状媒体パッド１２０を組み合わせると、ドリフトエリミネータとしての熱可塑性構成要素の使用が解消され、簡単な構成でフィルタハウスの奥行きが短縮され、気流速度が増加し、ドリフトエリミネータのための追加の水流を使用することなく総合効率が向上し得る。
【００３０】
本明細書では、湿った媒体パッド１０５およびドリフトエリミネータ１１０として繊維状媒体パッド１２０が使用され得るが、繊維状媒体パッド１２０のサイズおよび／または構成は、どちらの役割かということによって変化し得る。具体的には、湿った媒体パッド１０５として使用される繊維状媒体パッド１２０は、ドリフトエリミネータ１１０として使用される繊維状媒体パッド１２０とは異なるサイズおよび／または構成を有し得る。たとえば、繊維状媒体パッド１２０は、同一のジオメトリ、交互に起こるジオメトリ、ミラーイメージなどのシートを有し得る。前述の山形部分および波状部分に加えて、真っすぐな形状、対角線のひだなどが使用され得る。その上、湿った媒体パッド１２０は、従来のセルロース媒体材料なども使用し得る。
【００３１】
図６〜図９は、ドリフトエリミネータ１１０として使用するための繊維状媒体パッド１２０の様々な実施形態を示す。上記で説明されたように、ドリフトエリミネータ１１０は、慣性分離をもたらしてももたらさなくてもよい。図６は、非慣性分離のための複数の真っすぐなひだ３７０を有するドリフトエリミネータ３６０を示す。図７は、慣性分離のための上向きに傾斜するひだ３９０を有するドリフトエリミネータ３８０を示す。図８は、慣性分離のための「Ｓ字」形のひだ４１０を有するドリフトエリミネータ４００を示す。図９は、慣性分離のための逆「Ｕ字」形のひだ４３０を有するドリフトエリミネータ４２０を示す。本明細書では、様々なひだ形状が使用され得る。同様に、多種様々なサイズ、形状、および構成が本明細書にて使用され得る。
【００３２】
前述のことは、本出願および結果として生じる特許の特定の実施形態にのみ関するものであることが明瞭なはずである。本明細書においては、当業者によって、以下の特許請求の範囲およびその等価物によって定義されるような本発明の全般的な趣旨および範囲から逸脱することなく、多くの変更形態および修正形態が作製され得る。
【符号の説明】
【００３３】
１０  ガスタービンエンジン
１２  圧縮機
１４  燃焼器
１６  タービン
１８  シャフト
２０  空気吸入口
２２  入口気流
２４  排気口
２６  排気流
２８  入口空気システム
３０  熱交換器
３２  水の流れ
３４  熱交換媒体入口
３６  熱交換媒体出口
３８  湿った媒体パッド
４２  フィルタ
４４  ドリフトエリミネータ
４６  ギャップ
１００  入口空気システム
１０５  湿った媒体パッド
１１０  ドリフトエリミネータ
１１５  エアギャップ
１２０  繊維状媒体パッド
１２５  少なくとも１対の媒体シート
１３０  第１の媒体シート
１４０  第２の媒体シート
１５０  輪郭の形状
１６０  前縁
１７０  後縁
１８０  上縁
１９０  下縁
２００  山形のような波形面
２１０  山形チャネル
２２０  対角線的に上昇する部分
２３０  対角線的に低下する部分
２４０  頂点
２７０  波状波形面
２８０  波状チャネル
２９０  正弦波に類似の形状
３００  頂点
３１０  低点
３３０  ダイヤモンドのような形状
３４０  接合部分
３５０  拡張部分
３６０  ドリフトエリミネータ
３７０  真っすぐなひだ
３８０  ドリフトエリミネータ
３９０  上向きに傾斜するひだ
４００  ドリフトエリミネータ
４１０  「Ｓ字」形のひだ
４２０  ドリフトエリミネータ
４３０  逆「Ｕ字」形のひだ
【図１】
2018162786.tif 000003
【図２】
2018162786.tif 000004
【図３】
2018162786.tif 000005
【図４】
2018162786.tif 000006
【図５】
2018162786.tif 000007
【図６】
2018162786.tif 000008
【図７】
2018162786.tif 000009
【図８】
2018162786.tif 000010
【図９】
2018162786.tif 000011
【外国語明細書】
2018162786000001.pdf